Podtech/llm-jp-corpus-v4-ja_patent huggingface dataset:
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
互いに接合される第１部材および第２部材を備えた遊技機であって、
前記第１部材および前記第２部材を接合する接合具と、
前記第１部材および前記第２部材の少なくとも一方に取り付けられ、前記接合具の取り外しを阻止する封止キャップとを有し、
前記封止キャップは、透明な合成樹脂から形成されるとともに、前記第１部材又は前記第２部材の少なくとも一方に係止するための係止構造を備えた筒部と、前記筒部の一端を塞ぐ笠状蓋部とを有するものであり、
前記笠状蓋部は、所定波長のレーザー光の照射によりマーキングが施される三次元曲面の凹凸形状が形成された第１樹脂部と、所定波長のレーザー光の照射によりマーキングされることがなく、前記第１樹脂部に施されるマーキングを被覆するよう重ねて配置される第２樹脂部とを備えていることを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関する。
【手続補正４】
【補正対象書類名】明細書
【補正対象項目名】０００８
【補正方法】変更
【補正の内容】
【０００８】
そこで、各請求項にそれぞれ記載された各発明は、上記した従来技術の有する問題点に鑑みてなされたものであり、その目的とするところは、別の遊技機から取り外した封止キャップの使用が簡単且つ明瞭に判別できるようになる遊技機を提供することである。
【手続補正５】
【補正対象書類名】明細書
【補正対象項目名】００１０
【補正方法】変更
【補正の内容】
【００１０】
（請求項１）
（特徴点）
請求項１記載の発明は、次の点を特徴とする。
すなわち、請求項１に記載された発明は、互いに接合される第１部材および第２部材を備えた遊技機（１）であって、前記第１部材（５２）および前記第２部材（５３）を接合する接合具（６０）と、前記第１部材（５２）および前記第２部材（５３）の少なくとも一方に取り付けられ、前記接合具（６０）の取り外しを阻止する封止キャップ（７０）とを有し、前記封止キャップ（７０）は、透明な合成樹脂から形成されるとともに、前記第１部材（５２）又は前記第２部材（５３）の少なくとも一方に係止するための係止構造を備えた筒部（７１）と、前記筒部（７１）の一端を塞ぐ笠状蓋部（７２）とを有するものであり、前記笠状蓋部（７２）は、所定波長のレーザー光の照射によりマーキングが施される三次元曲面の凹凸形状が形成された第１樹脂部（７５）と、所定波長のレーザー光の照射によりマーキングされることがなく、前記第１樹脂部（７５）に施されるマーキングを被覆するよう重ねて配置される第２樹脂部（７６）とを備えていることを特徴とする。
【手続補正６】
【補正対象書類名】明細書
【補正対象項目名】００１１
【補正方法】変更
【補正の内容】
【００１１】
（請求項１の効果）
以上のように構成されている本発明は、以下に記載されるような効果を奏する。
すなわち、請求項１記載の発明によれば、第１樹脂部と第２樹脂部との境界面に、所定波長のレーザー光の照射で予め設定された識別マークをマーキングすることができ、遊技機毎に異なる識別マークを封止キャップにマーキングしておけば、別の遊技機から取り外した封止キャップを使用すれば、識別マークの相違から、別の遊技機から取り外した封止キャップの使用が簡単且つ明瞭に判別できる。
ここで、別の遊技機から取り外した封止キャップにマーキングされた識別マークを、不正行為の対象となる遊技機に整合させるために、当該識別マークを改竄することが考えられるが、第１樹脂部と第２樹脂部との境界面に識別マークがマーキングされているので、封止キャップの表面を削っても、識別マークを改竄することができず、別の遊技機から取り外した封止キャップの識別マークを、不正行為の対象となる遊技機に整合させることはできない。
また、第１樹脂部と第２樹脂部との境界面に三次元曲面の凹凸を形成したので、第１樹脂部を第２樹脂部から剥離することが非常に難しくなり、境界面に形成されていた識別マークの改竄も非常に難しくなる。一方、第１樹脂部と第２樹脂部との境界面が平面の場合には、カッター等の鋭利な刃物を巧みに操ることにより、第１樹脂部を第２樹脂部から綺麗に剥離できるおそれがあり、第１樹脂部を第２樹脂部から綺麗に剥離できれば、境界面に形成されていた識別マークを削り取って別の識別マークを記入する等で、識別マークの改竄が可能となる。しかしながら、前述のように、境界面に三次元曲面の凹凸を形成したので、第１樹脂部を第２樹脂部から綺麗に剥離することができず、識別マークの改竄もできないので、この点からも、本物の封止キャップに見間違える程の贋物の製作を困難にすることができる。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
ガイド管を通して導管及びテンプレートを移送することであって、該テンプレートが該導管と該ガイド管との間の該導管の外表面上に配置される、導管及びテンプレートを移送することと、
前記ガイド管を通して前記導管及び前記テンプレートが移送される際に前記テンプレートから前記導管へとテクスチャを転写することと、を含み、
前記テンプレートは前記導管の周囲全体を包む１のフィルムの形態であり、前記導管はカテーテルである、
方法。
【請求項２】
前記導管、前記テンプレート、又は前記ガイド管を加圧することを更に含む、請求項１に記載の方法。
【請求項３】
前記テクスチャを転写することが完了した後に前記テンプレートを取り外すことを更に含む、請求項１に記載の方法。
【請求項４】
前記導管上で前記テクスチャを硬化させることを更に含む、請求項１に記載の方法。
【請求項５】
前記テクスチャが複数のパターンを含む、請求項１に記載の方法。
【請求項６】
テンプレートから導管へのパターンの転写を促進するように機能するガイド管と、
前記ガイド管を通して前記導管を供給する第１の供給スプール、及び前記導管が前記ガイド管を通って移動した後に該導管を巻き取る第１の巻取スプールと、
前記ガイド管を通して前記テンプレートを供給する第２の供給スプール、及び前記テンプレートが前記ガイド管を通って移動した後に該テンプレートを巻き取る第２の巻取スプールと、を含み、
前記テンプレートは前記導管の周囲全体を包む１のフィルムの形態であり、前記導管はカテーテルである、
装置。
【請求項７】
導管の湾曲した表面上にテクスチャを配置することであって、該テクスチャが複数のパターンを含み、各パターンが該湾曲した表面に付着する又は該湾曲した表面へと突出する複数の離間した特徴部によって規定され、該複数の特徴部の各々が実質的に異なる構造を有する近接する特徴部を少なくとも１つ有し、隣接する離間した特徴部の間の平均間隔が該湾曲した表面の少なくとも一部において約１ナノメートル〜約１ミリメートルであり、該複数の離間した特徴部が周期関数によって表される、テクスチャを配置することと、
生物体の身体内に前記導管を配置することと、を含み、
前記テンプレートは前記導管の周囲全体を包む１のフィルムの形態であり、前記導管はカテーテルである、
方法。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
所定条件が成立したことに基づいて抽選を行う抽選手段と、
該抽選手段による抽選結果に基づいて利益を付与する利益付与状態に制御する利益付与状態制御手段と、
前記抽選手段による抽選結果に関する演出を行う演出実行手段と、
所定領域内における遊技者の動作態様を検知可能な複数の物体検知手段と、を備え、
前記演出実行手段は、前記抽選手段による抽選結果に関する演出を行うに際し、前記複数の物体検知手段により前記動作態様として特定の動作態様を検知し、該検知した期間が予め決められた期間にわたって継続したことに基づいて特別演出を行うことを特徴とする遊技機。
【手続補正２】
【補正対象書類名】明細書
【補正対象項目名】０００５
【補正方法】変更
【補正の内容】
【０００５】
本発明は、上記した事情に鑑みなされたもので、その目的とするところは、遊技者の参加意欲を高めることが可能な斬新な演出手法を用いることで、遊技興趣の低下を抑制することのできる遊技機を提供することにある。
【手続補正３】
【補正対象書類名】明細書
【補正対象項目名】０００６
【補正方法】変更
【補正の内容】
【０００６】
上記目的を達成するために、請求項１の発明においては、
所定条件が成立したことに基づいて抽選を行う抽選手段と、
該抽選手段による抽選結果に基づいて利益を付与する利益付与状態に制御する利益付与状態制御手段と、
前記抽選手段による抽選結果に関する演出を行う演出実行手段と、
所定領域内における遊技者の動作態様を検知可能な複数の物体検知手段と、を備え、
前記演出実行手段は、前記抽選手段による抽選結果に関する演出を行うに際し、前記複数の物体検知手段により前記動作態様として特定の動作態様を検知し、該検知した期間が予め決められた期間にわたって継続したことに基づいて特別演出を行うことを特徴とする。
【手続補正４】
【補正対象書類名】明細書
【補正対象項目名】０００７
【補正方法】変更
【補正の内容】
【０００７】
請求項１記載の遊技機によれば、抽選手段による抽選結果に関する演出を行うに際し、複数の物体検知手段により動作態様として特定の動作態様を検知し、該検知した期間が予め決められた期間にわたって継続したことに基づいて特別演出を行うことを特徴とする。これによれば、複数の物体検知手段により動作態様として特定の動作態様が検知を検知し、該検知した期間が予め決められた期間にわたって継続したと判断された遊技者にだけ、特別演出を行うことで、演出が単調とならず、遊技者にワクワク感を生じさせることができる。また、特別演出が行われるためには、特定の動作態様を予め決められた期間にわたって継続するという行為で表わせばよく、演出に積極的に参加するようになり、遊技興趣の低下を抑制することができる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の遊技機においては、遊技者の参加意欲を高めることが可能な斬新な演出手法を用いることで、遊技興趣の低下を抑制することができる。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
吸収体及び該吸収体の外面側に配された外層複合シートを含む吸収性本体と、該吸収性本体の一方又は両方の側部に取り付けられた伸縮性のサイドパネルを備えた使い捨ておむつであって、
前記サイドパネルは、２枚のシート及び該２枚のシート間に固定された弾性部材を有し、先端部にファスニングテープが設けられており、
前記外層複合シートは、液不透過性又は液難透過性の防漏シート及び該防漏シートの外面側に外層接着剤層を介して接合された外層不織布を有しており、
前記サイドパネルは、前記弾性部材の前記吸収性本体側の端部又はその近傍を固定している本体側接着剤層及び該弾性部材の前記サイドパネルの先端部側の端部又はその近傍を固定している先端側接着剤層を有し、該サイドパネルの前記吸収性本体側の端部が、前記本体側接着剤層と重なるか又は連続する補強用接着剤層を用いて補強され、補強された該端部が、接続用接着剤層により前記外層複合シートと接合されており、
おむつ幅方向において、前記本体側接着剤層は、前記外層接着剤層より外方に離間させて形成されており、該本体側接着剤層、前記補強用接着剤層、前記接続用接着剤層及び前記外層接着剤層は、おむつ幅方向に隙間が生じないように設けられている、使い捨ておむつ。
【請求項２】
前記本体側接着剤層、前記補強用接着剤層、前記接続用接着剤層及び前記外層接着剤層は、前記サイドパネルの先端部側のそれぞれの端部が、おむつ幅方向の外方側から内方側に向かって、この順に並ぶように配されている、請求項１記載の使い捨ておむつ。
【請求項３】
前記本体側接着剤層、前記補強用接着剤層、前記接続用接着剤層及び前記外層接着剤層が、前記ファスニングテープのおむつ長手方向の全長、または前記サイドパネルのおむつ長手方向の全長に亘って延在している、請求項１又は２記載の使い捨ておむつ。
【請求項４】
前記サイドパネルの先端部が、前記先端側接着剤層と重なるか連続する第２補強用接着剤層を用いて補強され、補強された該先端部が、第２接続用接着剤層により前記ファスニングテープと接合されている、請求項１〜３の何れか１項記載の使い捨ておむつ。
【請求項５】
おむつ幅方向において、前記先端側接着剤層は、第２接続用接着剤層より内方に離間させて形成されており、且つ該先端側接着剤層、第２補強用接着剤層及び第２接続用接着剤層は、おむつ幅方向に隙間が生じないように設けられている、請求項４記載の使い捨ておむつ。
【請求項６】
前記先端側接着剤層、第２補強用接着剤層及び第２接続用接着剤層は、前記サイドパネルの吸収性本体側のそれぞれの端部が、おむつ幅方向の内方側から外方側に向かって、この順に並ぶように配されている、請求項４又は５記載の使い捨ておむつ。
【請求項７】
前記先端側接着剤層及び第２補強用接着剤層は、前記ファスニングテープのおむつ長手方向の全長、または前記サイドパネルのおむつ長手方向の全長に亘って延在している、請求項４〜６の何れか１項記載の使い捨ておむつ。
【請求項８】
前記サイドパネルの前記２枚のシートのうち、該サイドパネルの外面側に位置するシートのみが、該サイドパネルの前記吸収性本体側の端部及び／又は先端部において該シートの外面側に折り返され、その折り返された部分が、前記補強用接着剤層及び／又は第２補強用接着剤層を介して該シートの外面に接合されている、請求項１〜７の何れか１項記載の使い捨ておむつ。
【請求項９】
前記サイドパネルの前記２枚のシートのうち、該サイドパネルの外面側に位置するシートが、該サイドパネルの前記吸収性本体側の端部及び／又は先端部において該シートの内面側に折り返され、その折り返された部分が、前記補強用接着剤層及び／又は第２補強用接着剤層を介して該シートの内面に接合されている、請求項１〜７の何れか１項記載の使い捨ておむつ。
【請求項１０】
前記吸収性本体は、前記吸収体の内面側に配された表面シート及び該表面シートの両側部に接合された立体ガード形成用シートを備えており、
前記立体ガード形成用シートは、一枚のシートが折り返されて積層され、その層間が熱融着により接合されている２層構造部分を有しており、該２層構造部分が前記サイドパネルと接合されている、請求項１〜９の何れか１項記載の使い捨ておむつ。
【請求項１１】
請求項８記載の使い捨ておむつの製造方法であって、
前記サイドパネルの外面側に位置するシートの原反である帯状シートに、前記補強用接着剤層及び前記第２補強用接着剤層を形成するための接着剤をそれぞれ帯状に連続塗工し、それら両接着剤を覆うように、該帯状シートの両側部を折り返す工程、該サイドパネルの内面側又は外面側に位置するシートの原反である帯状シートに、前記本体側接着剤層及び前記先端側接着剤層を形成するための接着剤をそれぞれ帯状に連続塗工する工程、及び、接着剤塗工後に、該サイドパネルを構成する前記２枚のシートの原反である両帯状シートを、両者間に弾性部材を挟んだ状態に一体化させる工程を経て、前記サイドパネルを製造する工程を具備する使い捨ておむつの製造方法。
【請求項１２】
請求項９記載の使い捨ておむつの製造方法であって、
前記サイドパネルの外面側に位置するシートの原反である帯状シートに、前記補強用接着剤層及び前記第２補強用接着剤層を形成するための接着剤をそれぞれ帯状に連続塗工し、それら両接着剤の全体又は一部を覆うように、該帯状シートの両側部を折り返す工程、該帯状シートの折り返した部分どうし間に、前記本体側接着剤層及び前記先端側接着剤層を形成するための接着剤が位置するように接着剤をそれぞれ帯状に、前記サイドパネルの内面側又は外面側に位置するシートの原反である帯状シートに対して連続塗工する工程、及び接着剤塗工後の前記両帯状シートを、両者間に弾性部材を挟んだ状態に一体化させる工程を経て、前記サイドパネルを製造する工程を具備する、使い捨ておむつの製造方法。
【請求項１３】
前記サイドパネルが連なった構成の伸縮性シートの連続ウェブを用いて、請求項８又は９に記載の使い捨ておむつを製造する請求項１１又は請求項１２に記載の使い捨ておむつの製造方法であって、
第２接続用接着剤層を形成するための接着剤が塗られたファスニングテープの連続ウェブをカットして、前記サイドパネルが連なった構成の前記伸縮性シートの連続ウェブに間欠的に取り付ける工程、
ファスニングテープを折り返して止着部を介して前記伸縮性シートの連続ウェブに仮止めする工程、
接続用接着剤層を形成するための本体接続用の接着剤を前記伸縮性シートの連続ウェブに連続的に塗工する工程、
前記伸縮性シートの連続ウェブをカットし、それを、外層複合シートの連続ウェブ、又は前記ウェブ立体ガード形成用シートの連続ウェブと表面シートの連続ウェブとが一体化した表面シート複合連続体に取り付ける工程、
前記外層複合シートの連続ウェブと前記表面シート複合連続体とを、両者間に吸収体を挟み込んで一体化する工程、及び、
得られたおむつ連続体を、個々の使い捨ておむつに切断する工程を具備する、使い捨ておむつの製造方法。
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
遊技盤に設けられた入賞口毎に遊技価値が設定され、前記入賞口への入賞によって前記遊技価値に応じた対価を遊技者に付与する弾球遊技機において、
設定される遊技価値が異なる複数種類の入賞口と、
各入賞口に設けられ、各入賞口への入賞を検出する検出スイッチと、
各検出スイッチからの入力信号の変化に基づいて入賞検出がなされた入賞口に応じて付与される遊技価値を加算する入賞カウンタと、
該入賞カウンタが所定値に達する毎に入賞信号を機外へ出力する入賞信号出力手段と、
遊技状態が遊技者にとって遊技価値の獲得に有利な特別遊技への移行後に、前記入賞検出がなされた入賞口に応じて付与される遊技価値に基づいて、前記移行後の所定期間中に付与される遊技価値の総数を計数する付与予定カウンタと、が設けられ、
前記付与予定カウンタの値を示唆する付与予定表示をするようになしたことを特徴とする弾球遊技機。
【手続補正２】
【補正対象書類名】明細書
【補正対象項目名】０００５
【補正方法】変更
【補正の内容】
【０００５】
請求項１に記載の発明は、遊技盤に設けられた入賞口毎に遊技価値が設定され、前記入賞口への入賞によって前記遊技価値に応じた対価を遊技者に付与する弾球遊技機において、
設定される遊技価値が異なる複数種類の入賞口と、
各入賞口に設けられ、各入賞口への入賞を検出する検出スイッチと、
各検出スイッチからの入力信号の変化に基づいて入賞検出がなされた入賞口に応じて付与される遊技価値を加算する入賞カウンタと、
該入賞カウンタが所定値に達する毎に入賞信号を機外へ出力する入賞信号出力手段と、
遊技状態が遊技者にとって遊技価値の獲得に有利な特別遊技への移行後に、前記入賞検出がなされた入賞口に応じて付与される遊技価値に基づいて、前記移行後の所定期間中に付与される遊技価値の総数を計数する付与予定カウンタと、が設けられ、
前記付与予定カウンタの値を示唆する付与予定表示をする。
【手続補正３】
【補正対象書類名】明細書
【補正対象項目名】０００６
【補正方法】変更
【補正の内容】
【０００６】
本発明によれば、入賞により付与された遊技価値が所定の値になると入賞信号を機外へ出力する。付与される遊技価値とは実質的に払出し予定の賞球のことであり、払出し予定の賞球が所定の数に達すると入賞信号を出力する。よって、球切れや貯留皿の満タンなどのエラーで賞球の払出しが停止状態であっても、入賞信号を入賞の発生に近い状態で機外へ出力することが可能である。機外へ出力するとは、ホールコンピュータ又は遊技機が設置された設置島を管理する管理装置へ向けて送信することであり、外部接続端子板やその他の基板又は装置を介す構成も含む。また、対価を遊技者に付与するとは、対価として相当数の遊技球を遊技者に払出すこと、対価として獲得球又は持ち玉として計数されているカウンタへの相当数の加算等も含む。
従来のように賞球信号のみをホールコンピュータに出力するだけでは、払出し停止状態によって信号出力と入賞の発生タイミングが大きくずれて遊技機の履歴管理が困難な上、遊技者が故意に貯留皿を満タンにして払出し停止状態を起すことが可能であるため、データ上は不正行為がなされていることを判断することができないこともある。これに対して入賞の発生に近いタイミングで出力される入賞信号をホールコンピュータに送信することで、ホールコンピュータにより賞球の確認や通常遊技の賞球ベース等の遊技機の履歴管理を適切に行うことができ、更に不正行為等を早期に発見することができる。
【手続補正４】
【補正対象書類名】明細書
【補正対象項目名】０００７
【補正方法】変更
【補正の内容】
【０００７】
一般に遊技店では、遊技機の上方位置に設置された情報表示部にホールコンピュータにより管理された賞球数が表示される所が多い。この場合、入賞信号に基づいてホールコンピュータが管理する賞球数の表示は、賞球の払出しが停止状態でもカウントアップされるので、貯留皿への払出しが無いにも拘わらず賞球数が増えることに遊技者は違和感を覚え、更には遊技機が故障しているのではないかといった不信感を抱く。特に前記デジパチの大当り遊技中では貯留皿が満タンになりやすく前記賞球数の表示と貯留皿への払出しの差が顕著に現れる。
そこで本発明によれば、大当りとなると、入賞により付与される遊技価値の総数、実質、入賞により実際に払出しが行われた賞球数と払出しが予定された賞球数を合わせた賞球の総数を表示するので、貯留皿への賞球払出しが無くても、遊技機の表示部の前記総数を確認することで、遊技機の故障に関する遊技者の疑念を解消することができる。
尚、前記総数の表示は、大当り遊技中、および大当り遊技後に確変や時短が付与された特典遊技状態中に実施することが望ましく、これによれば遊技者は大当たりの生起から派生した時短や確変などの遊技も含めた一連の総出球数を把握することもできる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００８８
【補正方法】変更
【補正の内容】
【００８８】
前記Ｓ７１６が否定のときは（Ｓ７１６：ｎｏ）、主制御装置３１から全ての賞球の払出しが完了したことを示す完了コマンドの受信があるか確認し（Ｓ７１８）、受信があれば（Ｓ７１８：ｙｅｓ）、前記未払出しカウンタのカウント値をクリアする（Ｓ７１９）。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
基材多孔質フィルムおよび耐熱層を有する積層多孔質フィルムの製造方法であって、
前記方法は、溶媒とバインダー樹脂とフィラーを含む塗工スラリーを基材多孔質フィルムの表面に塗工した後に、溶媒を除去することにより、前記基材多孔質フィルムの表面にフィラーを主成分とする耐熱層を形成することを含み、
ここで、前記塗工スラリーは、未処理の基材多孔質フィルムに対する接触角が７５°以上となるように調製され、
さらに、前記基材多孔質フィルムの表面に前記塗工スラリーを塗工する前に、基材多孔質フィルムに対する該塗工スラリーの接触角が０°を超え６５°以下となるように基材多孔質フィルムの表面処理を行うことを含む方法。
【請求項２】
前記塗工スラリーの粘度は、１０ｃＰ以上１００００ｃＰ以下の範囲である請求項１記載の積層多孔質フィルムの製造方法。
【請求項３】
前記接触角が、３５°以上６５°以下である請求項１または２記載の積層多孔質フィルムの製造方法。
【請求項４】
前記基材多孔質フィルムが、ポリオレフィンを主成分とする多孔質フィルムである請求項１から３のいずれかに記載の積層多孔質フィルムの製造方法。
【請求項５】
前記基材多孔質フィルムの空隙率が５５体積％以上である請求項１から４のいずれかに記載の積層多孔質フィルムの製造方法。
【請求項６】
溶媒が、水と有機極性溶媒との混合溶媒である請求項１から５のいずれかに記載の積層多孔質フィルムの製造方法。
【請求項７】
前記有機極性溶媒が、アルコールである請求項６記載の積層多孔質フィルムの製造方法。
【請求項８】
前記バインダー樹脂が、前記塗工スラリーに溶解できる樹脂である請求項１から７のいずれかに記載の積層多孔質フィルムの製造方法。
【請求項９】
前記バインダー樹脂が、水溶性のセルロースエーテルである請求項１から８のいずれかに記載の積層多孔質フィルムの製造方法。
【請求項１０】
前記フィラーが、無機フィラーである請求項１から９のいずれかに記載の積層多孔質フィルムの製造方法。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
ポリオレフィンを主成分とする基材多孔質フィルムの片面又は両面にバインダー樹脂及びフィラーを含む耐熱層が積層された積層多孔質フィルムであって、
バインダー樹脂及びフィラーの少なくとも一方の存在部分が、前記基材多孔質フィルム内部に、前記耐熱層と接触するように形成され、かつ、該存在部分の合計厚みが基材多孔質フィルム全体の厚みの４％以上２０％以下である積層多孔質フィルム。
【請求項２】
前記バインダー樹脂及びフィラーの少なくとも一方の存在部分の合計厚みが基材多孔質フィルム全体の厚みの４％以上１６％以下である請求項１記載の積層多孔質フィルム。
【請求項３】
ポリオレフィンを主成分とする基材多孔質フィルムの片面又は両面にバインダー樹脂及びフィラーを含む耐熱層が積層された積層多孔質フィルムであって、
バインダー樹脂及びフィラーの少なくとも一方の存在部分が、前記基材多孔質フィルム内部に、前記耐熱層と接触するように形成され、かつ、前記基材多孔質フィルムと前記耐熱層との界面を基準とした、前記バインダー樹脂及びフィラーの少なくとも一方の存在部分の厚みが、基材多孔質フィルム全体の厚みの２％以上１０％以下である積層多孔質フィルム。
【請求項４】
前記基材多孔質フィルム内部におけるバインダー樹脂及びフィラーが実質的に存在しない部分の厚みが、７μｍ以上である請求項１から３のいずれかに記載の積層多孔質フィルム。
【請求項５】
前記バインダー樹脂が、水溶性ポリマーである請求項１から４のいずれかに記載の積層多孔質フィルム。
【請求項６】
前記バインダー樹脂が、セルロースエーテルである請求項５記載の積層多孔質フィルム。
【請求項７】
前記フィラーが、無機フィラーである請求項１から６のいずれかに記載の積層多孔質フィルム。
【請求項８】
前記無機フィラーが、アルミナである請求項７記載の積層多孔質フィルム。
【請求項９】
前記耐熱層を構成するバインダー樹脂、フィラー及び溶媒を含み、かつ、ポリエチレンシートとの接触角が６０°以上である塗工スラリーを、該塗工スラリーとの接触角が０°を超え６５°以下になるように表面処理した前記基材多孔質フィルムの表面に塗工し、溶媒を除去することにより得られる請求項１から８のいずれかに記載の積層多孔質フィルム。
【請求項１０】
請求項１から９のいずれかに記載の積層多孔質フィルムをセパレータとして含む非水電解液二次電池。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
生玄米を洗米し、その後１１０〜１５０℃の水蒸気で５〜９０分間湿熱処理する工程、及び
湿熱処理した玄米を８０〜１００℃で５〜９０分間加熱処理する工程、
を少なくとも含む、加工玄米の製造方法。
【請求項２】
加工玄米の乾物１００ｇ中に含まれるシクロアルテノールの質量が、加工前の生玄米の乾物１００ｇ中に含まれるシクロアルテノールの質量の１．４倍以上である、請求項１に記載の製造方法。
【請求項３】
加工玄米の乾物１００ｇ中に含まれる２４−メチレンシクロアルタノールの質量が、加工前の生玄米の乾物１００ｇ中に含まれる２４−メチレンシクロアルタノールの質量の１．５倍以上である、請求項１又は２に記載の製造方法。
【請求項４】
加工玄米の乾物１００ｇ中に含まれるシクロアルテノール及び２４−メチレンシクロアルタノールの総質量が、加工前の生玄米の乾物１００ｇ中に含まれるシクロアルテノール及び２４−メチレンシクロアルタノールの総質量の１．４倍以上である、請求項１〜３のいずれか１項に記載の製造方法。
【請求項５】
加熱処理した玄米を乾燥させる工程を含む、請求項１〜４のいずれか１項に記載の製造方法。
【請求項６】
乾物１００ｇ中にシクロアルテノールを６．４ｍｇ以上含有する加工玄米。
【請求項７】
乾物１００ｇ中に２４−メチレンシクロアルタノールを４．５ｍｇ以上含有する加工玄米。
【請求項８】
乾物１００ｇ中に、シクロアルテノール及び２４−メチレンシクロアルタノールを総量で１１．０ｍｇ以上含有する加工玄米。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
電力を貯蔵する電力貯蔵器と、
商用電源の喪失時に前記電力貯蔵器の貯蔵電力により始動される内燃機関によって駆動され、負荷に電力を供給する発電機と、
前記商用電源と前記発電機とを切換える第一のスイッチと、
前記商用電源あるいは前記発電機の交流電力を直流電力に変換する第一の電力変換器と、
前記第一の電力変換器と前記電力貯蔵器との間に設けられ、直流電圧を変換する双方向ＤＣ／ＤＣコンバータと、
前記第一の電力変換器および前記双方向ＤＣ／ＤＣコンバータに接続され、前記第一の電力変換器あるいは前記電力貯蔵器の直流電力を交流電力に変換する第二の電力変換器と、
前記第二の電力変換器と前記商用電源とを切換える第二のスイッチと、を備えたことを特徴とする電源装置。
【請求項２】
前記商用電源の電力を前記電力貯蔵器に貯蔵することを特徴とする請求項１に記載の電源装置。
【請求項３】
前記商用電源の喪失時に、前記発電機の出力電力が安定するまで、前記電力貯蔵器から電力を前記負荷に供給することを特徴とする請求項１または請求項２に記載の電源装置。
【請求項４】
前記商用電源の喪失時に、前記発電機の電力の一部を前記電力貯蔵器に貯蔵することを特徴とする請求項１から請求項３のいずれか１項に記載の電源装置。
【請求項５】
前記商用電源の喪失時に、前記発電機および前記電力貯蔵器の電力を併せて前記負荷に供給することを特徴とする請求項１から請求項３のいずれか１項に記載の電源装置。
【請求項６】
前記発電機を一定出力で駆動させ、前記負荷の変動分を前記電力貯蔵器からの電力で補完することを特徴とする請求項５に記載の電源装置。
【手続補正２】
【補正対象書類名】明細書
【補正対象項目名】０００９
【補正方法】変更
【補正の内容】
【０００９】
上記課題を解決するために、本発明の電源装置は、電力を貯蔵する電力貯蔵器と、商用電源の喪失時に前記電力貯蔵器の貯蔵電力により始動される内燃機関によって駆動され、負荷に電力を供給する発電機と、前記商用電源と前記発電機とを切換える第一のスイッチと、前記商用電源あるいは前記発電機の交流電力を直流電力に変換する第一の電力変換器と、前記第一の電力変換器と前記電力貯蔵器との間に設けられ、直流電圧を変換する双方向ＤＣ／ＤＣコンバータと、前記第一の電力変換器および前記双方向ＤＣ／ＤＣコンバータに接続され、前記第一の電力変換器あるいは前記電力貯蔵器の直流電力を交流電力に変換する第二の電力変換器と、前記第二の電力変換器と前記商用電源とを切換える第二のスイッチと、を備えたことを特徴とするものである。
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
加振手段を有する振動体と、前記加振手段への交流電圧の印加による前記振動体の振動によって該振動体に対して相対移動する移動体と、を備える振動型アクチュエータの振動検出装置であって、
前記振動体の振動を検出する振動検出手段と、
前記振動検出手段から出力される振動検出信号に含まれている前記交流電圧の周波数成分の信号を、該振動検出信号から除去する駆動周波数除去手段と、
を備え、
前記駆動周波数除去手段は、前記振動検出信号の周波数成分を異なる周波数に変換する第１の周波数変換手段と、
第１の周波数変換手段の出力信号から前記交流電圧の周波数のみに起因する周波数成分を除去するフィルタ手段と、
前記フィルタ手段の出力信号を元の周波数に変換する第２の周波数変換手段と、
を有することを特徴とする振動型アクチュエータの振動検出装置。
【請求項２】
前記第１の周波数変換手段は、
前記交流電圧の周波数の正弦波及び余弦波と、前記振動検出信号と、を乗算する第１の乗算手段及び第２の乗算手段を有することを特徴とする請求項１に記載の振動型アクチュエータの振動検出装置。
【請求項３】
前記第２の周波数変換手段は、
前記交流電圧の周波数の正弦波及び余弦波と、前記フィルタ手段の出力信号と、を乗算する第３の乗算手段及び第４の乗算手段と、
前記第３の乗算手段及び第４の乗算手段の出力を加算する第１の加算手段と、
を有することを特徴とする請求項１または請求項２に記載の振動型アクチュエータの振動検出装置。
【請求項４】
前記フィルタ手段は、前記交流電圧の周波数の２倍の周波数成分と直流成分を除去することを特徴とする請求項１乃至３のいずれか１項に記載の振動型アクチュエータの振動検出装置。
【請求項５】
前記フィルタ手段は、前記交流電圧の周波数の２倍の周波数成分を遮断するノッチフィルタを有することを特徴とする請求項１乃至４のいずれか１項に記載の振動型アクチュエータの振動検出装置。
【請求項６】
前記フィルタ手段は、入力信号と、該入力信号を前記交流電圧の周期の４分の１周期分の時間遅延した信号と、を加算する第２の加算手段を有することを特徴とする請求項５に記載の振動型アクチュエータの振動検出装置。
【請求項７】
請求項１乃至６のいずれか１項に記載の振動型アクチュエータの振動検出装置と、前記交流電圧を生成する交流電圧生成手段と、を備え、
前記不要振動を検出する振動検出装置で検出された不要振動信号を用い、振動型アクチュエータの不要振動の制御をすることを特徴とする振動型アクチュエータの制御装置。
【請求項８】
前記駆動周波数除去手段の出力信号を前記交流電圧生成手段の出力する交流電圧と加算して出力することを特徴とする請求項７に記載の振動型アクチュエータの制御装置。
【請求項９】
前記振動検出手段は、前記振動体の振動速度を検出することを特徴とする請求項７または請求項８に記載の振動型アクチュエータの制御装置。
【請求項１０】
前記交流電圧生成手段の出力する交流電圧の周波数によって前記移動体と振動体との相対移動速度を制御することを特徴とする請求項７乃至９のいずれか１項に記載の振動型アクチュエータの制御装置。
【請求項１１】
前記加振手段を有する前記振動体と、前記移動体と、を備える前記振動型アクチュエータと、
請求項１乃至６のいずれか１項に記載の振動型アクチュエータの振動検出装置と、前記交流電圧を生成する交流電圧生成手段と、を備え、前記不要振動を検出する振動検出装置で検出された不要振動信号を用い、振動型アクチュエータの不要振動の制御をする制御装置と、
を備える装置。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
薬液を霧化噴霧する超音波霧化装置であって、
薬液貯留容器から薬液を吸液する吸液芯と、
厚さ方向に貫通した多数の微細孔を有し、通電により超音波振動を生じる圧電振動子の振動によって上記薬液を霧化噴霧する振動板とを備え、
上記振動板は、上記吸液芯を介して上記薬液が供給される錐台状の凸状部を有し、
上記薬液として、少なくとも水と有効成分とが混合された、粘度が１．２ｍＰａ・ｓ（２０℃）〜４．０ｍＰａ・ｓ（２０℃）の薬液が使用されることを特徴とする超音波霧化装置。
【請求項２】
上記薬液は、さらに、粘度が３．２ｍＰａ・ｓ（２０℃）〜４・０ｍＰａ・ｓ（２０℃）であることを特徴とする請求項１に記載の超音波霧化装置。
【請求項３】
上記振動板は、上記微細孔が上記凸状部の上底にのみ形成されていることを特徴とする請求項１または２に記載の超音波霧化装置。
【請求項４】
上記振動板は、当該振動子の全体に上記微細孔が形成されていることを特徴とする請求項１または２に記載の超音波霧化装置。
【請求項５】
上記振動板は、上記凸状部が円錐台状であることを特徴とする請求項１から４の何れか１項に記載の超音波霧化装置。
【請求項６】
上記振動板は、上記凸状部が角錐台状であることを特徴とする請求項１から４の何れか１項に記載の超音波霧化装置。
【請求項７】
上記薬液貯留容器は、上記超音波霧化装置に着脱自在に収容され、
上記吸液芯が吸液した上記薬液を上記振動板に供給する吸収体を備え、
上記吸収体は、上記薬液貯留容器が上記超音波霧化装置に着脱されるときに、上記薬液貯留容器とともに上記超音波霧化装置に着脱されることを特徴とする請求項１から６のいずれか１項に記載の超音波霧化装置。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
ATCC受託番号31565のアクチノシネマ・プレチオスム株N-1231により産生される量の５倍から10倍多い量のアンサマイトシンP-3を産生するアクチノシネマ・プレチオスム株であって、再単離、突然変異誘発、３回の再単離、UV突然変異誘発および1-メチル-3-ニトロ-1-ニトロソ-グアニジン突然変異誘発の７つの逐次ステップによりアクチノシネマ・プレチオスム株N-1231を変異させ、増強されたアンサマイトシンP-3産生を選択することにより作製されたアクチノシネマ・プレチオスム株。
【請求項２】
ATCC受託番号31565のアクチノシネマ・プレチオスム株N-1231を変異させ、アクチノシネマ・プレチオスム株N-1231により産生される量の５倍から10倍多い量のアンサマイトシンP-3を産生するアクチノシネマ・プレチオスム株を提供する方法であって、変異に再単離、突然変異、３回の再単離、UV突然変異誘発および1-メチル-3-ニトロ-1-ニトロソ-グアニジン突然変異誘発の７つの逐次ステップが用いられ、増強されたメイタンシノイド産生を選択する、方法。
【請求項３】
（i）  請求項１に記載のアクチノシネマ・プレチオスム株、ならびに（ii）  ATCC受託番号PTA-3921のアクチノシネマ・プレチオスム株PF4-4であるアクチノシネマ・プレチオスム株、もしくはその変異体、からなる群から選択されるアクチノシネマ・プレチオスム株を提供する、請求項２記載の方法。
【請求項４】
アンサマイトシンP-3を産生する方法であって、（i）  請求項１に記載のアクチノシネマ・プレチオスム株、ならびに（ii）  ATCC受託番号PTA-3921のアクチノシネマ・プレチオスム株PF4-4である、アクチノシネマ・プレチオスム株、もしくはその変異体、からなる群から選択されるアクチノシネマ・プレチオスム株を適切な炭素源を含む培地中で培養することを含む方法。
【請求項５】
炭素源がバリン、イソ酪酸、イソブチルアルコールおよびイソブチルアルデヒドからなる群から選択される１以上の炭素源を含むものである、請求項４記載の方法。
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
エレベーターの乗場に設けられ、前記乗場にいる乗車待ち客の荷重を検出するための荷重センサと、
前記荷重センサによって検出された荷重に基づいて、前記乗場にいる乗車待ち客の人数を判定する乗車待ち客判定部と、
エレベーターのかごが前記乗場に停止する際に、前記乗車待ち客判定部によって判定された前記乗場の乗車待ち客数に基づいて、戸開閉速度及び戸開き時間を調整する戸開閉制御部と、
を備え、
前記戸開閉制御部は、前記乗車待ち客判定部によって特定された前記乗場の乗車待ち客数が１人の場合に速度が最も速くなるように戸開閉速度を調整し、乗車待ち客数が１人よりも多い場合に乗車待ち客数が増えるにつれて速度が遅くなるように戸開閉速度を調整し、乗車待ち客数が１人よりも少ない場合に乗車待ち客数が減るにつれて速度が遅くなるように戸開閉速度を調整するエレベーター装置。
【請求項２】
前記戸開閉制御部は、前記乗車待ち客判定部によって特定された前記乗場の乗車待ち客数が１人の場合に時間が最も短くなるように戸開き時間を調整し、乗車待ち客数が１人よりも多い場合に乗車待ち客数が増えるにつれて時間が長くなるように戸開き時間を調整し、乗車待ち客数が１人よりも少ない場合に乗車待ち客数が減るにつれて時間が長くなるように戸開き時間を調整する請求項１に記載のエレベーター装置。
【請求項３】
前記乗場に設けられ、前記乗場にいる乗車待ち客を撮影するための第１カメラと、
前記第１カメラによって撮影された画像の情報に基づいて、前記乗場にいる乗車待ち客の種別を特定する画像解析部と、
を備え、
前記戸開閉制御部は、エレベーターのかごが前記乗場に停止する際に、前記画像解析部によって特定された前記乗場の乗車待ち客の種別も考慮して、戸開閉速度及び戸開き時間を調整する請求項１又は請求項２に記載のエレベーター装置。
【請求項４】
前記戸開閉制御部は、前記乗車待ち客判定部によって判定された乗車待ち客数に基づいて、戸開閉速度及び戸開き時間を算出し、前記画像解析部によって特定された乗車待ち客の種別に基づいて、前記算出した戸開閉速度及び戸開き時間を補正する請求項３に記載のエレベーター装置。
【請求項５】
前記かごに設けられ、前記かご内を撮影するための第２カメラと、
を備え、
前記画像解析部は、前記第２カメラによって撮影された画像の情報に基づいて、前記かごへの乗降者の有無を判定し、
前記戸開閉制御部は、前記乗場で戸全開中に、前記かごへの乗降者がいないことが前記画像解析部によって判定されると、戸開き時間が経過する前であっても戸閉動作を開始させる
請求項３に記載のエレベーター装置。
【手続補正２】
【補正対象書類名】明細書
【補正対象項目名】０００７
【補正方法】変更
【補正の内容】
【０００７】
この発明に係るエレベーター装置は、エレベーターの乗場に設けられ、乗場にいる乗車待ち客の荷重を検出するための荷重センサと、荷重センサによって検出された荷重に基づいて、乗場にいる乗車待ち客の人数を判定する乗車待ち客判定部と、エレベーターのかごが乗場に停止する際に、乗車待ち客判定部によって判定された乗場の乗車待ち客数に基づいて、戸開閉速度及び戸開き時間を調整する戸開閉制御部と、を備え、戸開閉制御部は、乗車待ち客判定部によって特定された乗場の乗車待ち客数が１人の場合に速度が最も速くなるように戸開閉速度を調整し、乗車待ち客数が１人よりも多い場合に乗車待ち客数が増えるにつれて速度が遅くなるように戸開閉速度を調整し、乗車待ち客数が１人よりも少ない場合に乗車待ち客数が減るにつれて速度が遅くなるように戸開閉速度を調整するものである。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
１つの移動局へ、同じデータを無線通信により送信する複数の固定局を制御する制御手段と、
前記移動局の移動に伴い前記同じデータを複数回繰り返し前記移動局へ送信する固定局を、前記複数の固定局の中から選択する選択手段と、
を有し、
前記制御手段は、前記選択手段による選択に基づいて、前記複数の固定局を制御する、
ことを特徴とする制御装置。
【請求項２】
前記選択手段は、前記移動局の移動に伴う前記複数の固定局それぞれの前記移動局との通信における通信品質に基づいて、前記同じデータを複数回繰り返し送信する固定局を選択する、
ことを特徴とする請求項１に記載の制御装置。
【請求項３】
前記選択手段は、前記移動局の移動に伴い、前記複数の固定局のいずれかが所定の通信品質を満足しない場合、当該固定局を選択しない、
ことを特徴とする請求項１または２に記載の制御装置。
【請求項４】
前記制御手段は、複数の固定局それぞれに対して、データを送信するための時間区間を割り当てる、
ことを特徴とする請求項３に記載の制御装置。
【請求項５】
前記制御手段は、前記選択手段によって選択された固定局に連続した前記時間区間を割り当てる、
ことを特徴とする請求項４に記載の制御装置。
【請求項６】
前記無線通信は、ミリ波帯を用いた無線通信である、
ことを特徴とする請求項１から５のいずれか１項に記載の制御装置。
【請求項７】
１つの移動局へ、同じデータを無線通信により送信する複数の固定局を制御する制御手段を有する制御装置の制御方法であって、
選択手段が、前記移動局の移動に伴い前記同じデータを複数回繰り返し前記移動局へ送信する固定局を、前記複数の固定局の中から選択する選択工程と、
前記制御手段が、前記選択手段による選択に基づいて、前記複数の固定局を制御する工程と、
を有することを特徴とする制御方法。
【請求項８】
コンピュータを請求項１から６のいずれか１項に記載の制御装置が備える各手段として機能させるためのプログラム。
【手続補正２】
【補正対象書類名】明細書
【補正対象項目名】００１２
【補正方法】変更
【補正の内容】
【００１２】
上記目的を達成するため、本発明による制御装置は、１つの移動局へ、同じデータを無線通信により送信する複数の固定局を制御する制御手段と、前記移動局の移動に伴い前記同じデータを複数回繰り返し前記移動局へ送信する固定局を、前記複数の固定局の中から選択する選択手段と、を有し、前記制御手段は、前記選択手段による選択に基づいて、前記複数の固定局を制御する、ことを特徴とする。
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
サーマルヘッドと、印刷速度を規定する搬送モーターとを有する印刷機構部を備える印刷装置であって、
外部から受信したコマンドを含むデータを展開して、印刷用のイメージデータを生成するイメージ展開部と、
前記イメージデータを記憶するイメージバッファーと、
前記イメージデータのデータ種別を識別するイメージ識別部と、
前記データ種別により前記印刷速度を選択する印刷速度選択部と、
前記イメージバッファーから前記イメージデータを読み出して、選択した前記印刷速度で前記印刷機構部により記録媒体に印刷をする制御部と、を備え、
前記データ種別は、少なくとも、キャラクター、グラフィックス、ラダー型バーコード及び２次元型バーコードのいずれかを含み、
前記印刷速度選択部は、前記データ種別において、前記キャラクター、前記グラフィックス、前記ラダー型バーコード、前記２次元型バーコードの順に速い印刷速度を選択することを特徴とする印刷装置。
【請求項２】
前記イメージバッファー内において、所定の印刷範囲に対応する領域に複数の前記データ種別が存在する場合には、前記印刷速度選択部はその中の最も遅い印刷速度を選択することを特徴とする請求項１に記載の印刷装置。
【請求項３】
前記データ種別はさらにフェンス型バーコードを含み、
前記印刷速度選択部は、前記グラフィックスと前記フェンス型バーコードを同じ印刷速度として選択することを特徴とする請求項１または請求項２に記載の印刷装置。
【請求項４】
サーマルヘッドと、印刷速度を規定する搬送モーターとを有する印刷機構部を備える印刷装置の制御方法であって、
外部から受信したコマンドを含むデータを展開して、印刷用のイメージデータを生成し、
前記イメージデータをイメージバッファーに記憶し、
前記イメージデータのデータ種別を識別し、
前記データ種別より前記印刷速度を選択し、
前記イメージバッファーから前記イメージデータを読み出して、選択した前記印刷速度で前記印刷機構部により記録媒体に印刷し、
前記データ種別は、少なくとも、キャラクター、グラフィックス、ラダー型バーコード及び２次元型バーコードのいずれかを含み、
前記印刷速度を選択する際、前記データ種別において、前記キャラクター、前記グラフィックス、前記ラダー型バーコード、前記２次元型バーコードの順に速い印刷速度を選択することを特徴とする印刷装置の制御方法。
【請求項５】
前記イメージバッファー内において、所定の印刷範囲に該当する領域に複数の前記データ種別が存在する場合には、前記印刷速度を選択する際、その中の最も遅い印刷速度を選択することを特徴とする請求項５に記載の印刷装置の制御方法。
【請求項６】
前記データ種別はさらにフェンス型バーコードを含み、
前記印刷速度を選択する際、前記グラフィックスと前記フェンス型バーコードを同じ印刷速度として選択することを特徴とする請求項４または請求項５に記載の印刷装置の制御方法。
【手続補正２】
【補正対象書類名】明細書
【補正対象項目名】発明の名称
【補正方法】変更
【補正の内容】
【発明の名称】印刷装置、および印刷装置の制御方法
【手続補正３】
【補正対象書類名】明細書
【補正対象項目名】０００１
【補正方法】変更
【補正の内容】
【０００１】
本発明は、印刷装置、印刷装置の制御方法に関する。
【手続補正書】
【提出日】平成27年2月13日(2015.2.13)
【手続補正１】
【補正対象書類名】明細書
【補正対象項目名】００３９
【補正方法】変更
【補正の内容】
【００３９】
本発明の圧縮成型装置では、凹部キャビティ部分に成型材料を供給するための成型材料供給装置を有することが好ましい。成型材料供給装置としては定量ディスペンサー等が使用できる。
【手続補正２】
【補正対象書類名】明細書
【補正対象項目名】００５０
【補正方法】変更
【補正の内容】
【００５０】
［参考例１］（シリコーン変性エポキシ樹脂成形材料の調製）
粘度１３.４Ｐa・ｓ、質量平均分子量２,６００、平均単位式：
【化１】
2013230618.tif 000001
で表されるエポキシ変性シリコーン樹脂（エポキシ当量２９９）  ５.９６ｇ、３,４−エポキシシクロヘキセニルメチル−３’,４’−エポキシシクロヘキセンカルボキシレート（ダイセル化学工業社製のセロキサイド２０２１Ｐ）  ６.０４ｇ、３−または４−メチル−ヘキサヒドロ無水フタル酸（日立化成工業株式会社製のＨＮ５５００Ｅ）  １１.１６ｇ、およびメチルトリブチルフォスフォニウムジメチルフォスフォネート（日本化学工業株式会社製のヒシコーリンＰＸ−４ＭＰ）  ０.１９４ｇを均一に混合して硬化性エポキシ変性シリコーン組成物からなる、透明なシリコーン変性エポキシ樹脂成形材料を調製した。
【手続補正３】
【補正対象書類名】明細書
【補正対象項目名】００５６
【補正方法】変更
【補正の内容】
【００５６】
［実施例９］
実施例５において、付加反応硬化型シリコーン系封止材（東レ・ダウコーニング株式会社製のＯＥ−６３７０ＨＦ）の替わりに、付加反応硬化型シリコーン系封止材（東レ・ダウコーニング株式会社製のＤｏｗ  Ｃｏｒｎｉｎｇ(登録商標)  ＪＣＲ６１２５；硬化物のタイプＡデュロメータ硬さ２３、屈折率１.４１）を用いた以外は実施例５と同様にして樹脂封止した基板を作製した。この成型物の表面は平滑でボイドもなく、外観と充填性は良好であり、成型物１００個が基板に接着して離型フィルムからの離型もスムースであった。また、離型フィルムの金型からの離型も良好であった。